【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
ほぼ円筒状で、ほぼペル弗化熱可塑性ポリマで造られたフィルタカートリッジにおいて、
ａ）２個の端部を有し、少なくとも１個の流体導入口を有するペル弗化熱可塑性ポリマのハウジングと、
ｂ）２個の端部を有し、濾過できる物質を含む流体を濾過するよう前記ハウジング内に位置するほぼ円形の円筒状のペル弗化熱可塑性ポリマ隔膜フィルタの構成と、
ｃ）前記隔膜フィルタの各端部にあって、この隔膜フィルタの前記各端部の一部を封入する液密シールを形成するための、ペル弗化熱可塑性樹脂であって、前記ペル弗化熱可塑性樹脂のピーク融解温度は前記ペル弗化熱可塑性ポリマ隔膜フィルタのそれよりも低く、前記ペル弗化熱可塑性ポリマ隔膜フィルタと前記ペル弗化熱可塑性樹脂とのあいだの界面が透明であり、前記ペル弗化熱可塑性樹脂が前記ペル弗化熱可塑性ポリマ隔膜フィルタの表面細孔に貫入している、というペル弗化熱可塑性樹脂と、
ｄ）前記隔膜フィルタによって濾過された流体を回収するため、前記液密シールの少なくとも１個を通じて、前記円筒状の隔膜フィルタの中心に連通する少なくとも１個の送出口とを具え、
ｅ）前記ハウジングの内面の全周縁の一部に接合する液密接合部を前記シールが更に具え、 前記液密シールが、前記ペル弗化熱可塑性樹脂に隣接する前記ペル弗化熱可塑性ポリマ隔膜フィルタの多孔質構造の圧潰をすることなく、完全なものとして得られる
ことを特徴とするフィルタカートリッジ。
【請求項２】
前記ペル弗化熱可塑性隔膜がひだ付き隔膜である請求項１のフィルタカートリッジ。
【請求項３】
前記ひだ付き隔膜がペル弗化熱可塑性織物によって支持されている請求項２のフィルタカートリッジ。
【請求項４】
前記ペル弗化熱可塑性隔膜が微孔性隔膜である請求項１から３のいずれか一項のフィルタカートリッジ。
【請求項５】
前記ペル弗化熱可塑性隔膜が限外濾過隔膜である請求項１から３のいずれか一項のフィルタカートリッジ。
【請求項６】
端部キャップが前記ハウジングの各端部に液密に接合されている請求項１から５のいずれか一項のフィルタカートリッジ。
【請求項７】
前記端部キャップと前記ハウジングとが一体の端部構造を形成している請求項６のフィルタカートリッジ。
【請求項８】
前記ペル弗化熱可塑性ポリマ隔膜が、ポリ（テトラフルオロエチレン-CO-ペルフルオロ(アルキルビニルエーテル)）、ポリ（テトラフルオロエチレン-CO-ヘキサフルオロプロピレン）、及びその配合物から成る群から選択されるポリマーから製造されるものである請求項１から７のいずれか一項のフィルタカートリッジ。
【請求項９】
前記ポリ（テトラフルオロエチレン-CO-ペルフルオロ(アルキルビニルエーテル)）のアルキルがプロピル、メチル、及びメチルとプロピルとの配合物から成る群から選択されたものである請求項８のフィルタカートリッジ。
【請求項１０】
ａ）２個の端部を有し、導入口と送出口とを有し、更に内面と外面とを有するペル弗化熱可塑性ポリマのハウジングと、
ｂ）第１端部と第２端部とを有し、外面と中空部を構成する内面とを有する複数個のペル弗化熱可塑性中空繊維隔膜の束とを具え、
ｃ）前記束の前記端部の少なくとも１個は液密ペル弗化熱可塑性樹脂で注封されており、前記複数個の繊維隔膜の各繊維が別個にシールされており、前記束の前記繊維の端部の少なくとも１個が流体の流れに開放しており、ここで前記ペル弗化熱可塑性樹脂は、前記ペル弗化熱可塑性中空繊維隔膜よりも低いピーク融解温度を有しており、前記ペル弗化熱可塑性樹脂が前記ペル弗化熱可塑性中空繊維隔膜の表面細孔に貫入していて、前記ペル弗化熱可塑性中空繊維隔膜と前記注封物との界面が透明であり、
ｄ）前記ハウジングの前記内面の全周縁の一部に接合する液密接合部を前記シールが更に具え、前記シールが、前記ペル弗化熱可塑性樹脂に隣接する前記ペル弗化熱可塑性中空繊維隔膜の多孔質構造の圧潰をすることなく、完全なものとして得られる
ことを特徴とするほぼペル弗化熱可塑性ポリマで造られたフィルタカートリッジ。
【手続補正２】
【補正対象書類名】明細書
【補正対象項目名】００７１
【補正方法】変更
【補正の内容】
【００７１】
好適な実施例につき本発明を説明したが、本発明の他の実施例、代案、及び変更は当業者には明らかであり、そのような他の実施例、代案、及び変更は特許請求の範囲に包含される。
［付記１］
導入口と送出口とを有するハウジングと、前記導入口と送出口との間に設置された１個、又はそれ以上の数の隔膜とを具え、全ての流体が前記導入口から前記送出口まで必ず前記１個、又はそれ以上の数の隔膜を通過するように前記１個、又はそれ以上の数の隔膜と前記送出口との間に液体シールを形成すると共に、前記シールと前記１個、又はそれ以上の数の隔膜とがペル弗化熱可塑性樹脂から形成されていることを特徴とする濾過カートリッジ。
［付記２］
導入口と送出口とを有するハウジングと、このハウジング内に前記導入口と送出口との間に設置されたひだ付き濾過隔膜とを具え、全ての流体が前記送出口に到達する前に、前記ハウジングの前記導入口から前記隔膜に通るようこの隔膜を前記ハウジング内にシールするように結合しており、前記ハウジング、及び前記隔膜が１個、又はそれ以上の数のペル弗化熱可塑性樹脂から形成されていることを特徴とする濾過カートリッジ。
［付記３］
導入口と送出口とを有するハウジングと、複数個の中空繊維から成る濾過隔膜とを具え、前記中空繊維の少なくとも一端が単一の一体ブロック内に注封されており、前記導入口を経て入る全ての流体が前記送出口に到達する前に、前記隔膜を必ず通るよう前記濾過隔膜が前記ハウジング内にシールされており、前記ハウジング、隔膜、及びブロックが全て１個、又はそれ以上のペル弗化熱可塑性樹脂で形成されていることを特徴とする濾過カートリッジ。
［付記４］
送出口と導入口とを有するハウジングと、縦形フィルタを形成するよう軸線の周りに巻いた１個、又はそれ以上の数の繊維から形成された隔膜とを具え、前記導入口に入る全ての流体が前記送出口に到達する前に、前記隔膜を必ず通過するよう前記隔膜が前記ハウジング内にシールされており、前記ハウジング、及び隔膜が１個又はそれ以上の数のペル弗化熱可塑性樹脂から形成されていることを特徴とする濾過カートリッジ。
［付記５］
ペル弗化熱可塑性樹脂がポリ（テトラフルオロエチレン-CO-ペルフルオロアルキルビニルエーテル)である付記１、２、３、及び４のいずれか１項のカートリッジ。
［付記６］
前記ペル弗化熱可塑性樹脂がポリ（テトラフルオロエチレン-CO-ペルフルオロ(アルキルビニルエーテル)）、ポリ（テトラフルオロエチレン-CO-ヘキサフルオロプロピレン）、及びその配合物から成る群から選択したものである付記１、２、３、及び４のいずれか１項のカートリッジ。
［付記７］
前記ペル弗化熱可塑性ポリマがポリ（テトラフルオロエチレン-CO-ペルフルオロ（アルキルビニルエーテル））であり、前記アルキルがプロピル、メチル、及びプロピルとメチルとの配合物から成る群から選択されたものである付記６のカートリッジ。
［付記８］
前記隔膜が中空繊維、平坦シート、及び巻いた繊維から成る群から選択したものである付記１のカートリッジ。
［付記９］
ペル弗化熱可塑性樹脂から形成された１個、又はそれ以上の数の端部キャップをハウジング用に、更に具える付記１、２、３、及び４のいずれか１項のカートリッジ。
［付記１０］
前記隔膜が平坦なシートの形状であり、ひだ、螺旋、及びディスクからなる形状の群から選択された形状に前記隔膜が形成されている付記１のカートリッジ。
［付記１１］
前記隔膜が１個、又はそれ以上の数の巻いた繊維から形成された縦形フィルタである付記１のカートリッジ。
［付記１２］
ペル弗化熱可塑性樹脂のブロック内に少なくとも一端が注封された一連の中空繊維隔膜で前記隔膜が形成されている付記１のカートリッジ。
［付記１３］
ａ）流体の流れのための導入口と送出口とを有するペル弗化熱可塑性ポリマのハウジングと、
ｂ）流体が入る前記ハウジングの導入口と、濾過された後、前記流体が流出する前記ハウジングの送出口との間に介挿され、濾過される物質を含む流体を濾過するよう前記ハウジング内に位置するペル弗化熱可塑性ポリマの隔膜フィルタと、
ｃ）前記ハウジングに入る前記流体がこのハウジングを出る濾過された流体と混合するのを防止するため、前記隔膜フィルタの一部を封入しているペル弗化熱可塑性ポリマの液密シールとを具えることを特徴とするほぼペル弗化熱可塑性ポリマで造られたフィルタカートリッジ。
［付記１４］
前記隔膜が微孔性隔膜である付記１３のフィルタカートリッジ。
［付記１５］
前記隔膜が限外濾過隔膜である付記１３のフィルタカートリッジ。
［付記１６］
端部キャップが前記ハウジングの各端部に液密に接合されている付記１３のフィルタカートリッジ。
［付記１７］
前記端部キャップと前記ハウジングとが一体の端部構造を形成している付記１３のフィルタカートリッジ。
［付記１８］
前記ペル弗化熱可塑性ポリマがポリ（テトラフルオロエチレン-CO-ペルフルオロ(アルキルビニルエーテル)）、ポリ（テトラフルオロエチレン-CO-ヘキサフルオロプロピレン）、及びその配合物から成る群から選択したものである付記１３のフィルタカートリッジ。
［付記１９］
前記ポリ（テトラフルオロエチレン-CO-ペルフルオロ(アルキルビニルエーテル)）のアルキルがプロピル、メチル、及びメチルとプロピルとの配合物から成る群から選択されたものである付記１８のフィルタカートリッジ。
［付記２０］
前記シールの材料が前記隔膜を造るのに使用される融解温度、又は軟化温度より一層低い融解温度を有する付記１３のフィルタカートリッジ。
［付記２１］
前記シールの材料の融解温度、又は軟化温度が前記隔膜を造るのに使用される材料の融解温度より少なくとも約５℃低い付記１３のフィルタカートリッジ。
［付記２２］
前記シールの材料の融解温度が前記隔膜を造るのに使用される材料の融解温度、又は軟化温度より少なくとも約１０℃低い付記１３のフィルタカートリッジ。
［付記２３］
ほぼ円筒状で、ほぼペル弗化熱可塑性ポリマで造られたフィルタカートリッジにおいて、
ａ）２個の端部を有し、少なくとも１個の流体導入口を有するペル弗化熱可塑性ポリマのハウジングと、
ｂ）２個の端部を有し、濾過できる物質を含む流体を濾過するよう前記ハウジング内に位置するほぼ円形の円筒状のペル弗化熱可塑性ポリマ隔膜フィルタの構成と、
ｃ）前記隔膜フィルタの各端部にあって、この隔膜フィルタの前記各端部の一部を封入しているペル弗化熱可塑性ポリマの液密シールと、
ｄ）前記隔膜フィルタによって濾過された流体を回収するため、前記液密シールの少なくとも１個を通じて、前記円筒状の隔膜フィルタの中心に連通する少なくとも１個の送出口とを具え、
ｅ）前記ハウジングの内面の全周縁の一部に接合する液密接合部を前記シールが更に具えることを特徴とするフィルタカートリッジ。
［付記２４］
前記隔膜がひだ付き隔膜である付記２３のフィルタカートリッジ。
［付記２５］
前記ひだ付き隔膜がペル弗化熱可塑性織物によって支持されている付記２３のフィルタカートリッジ。
［付記２６］
前記隔膜が微孔性隔膜である付記２３のフィルタカートリッジ。
［付記２７］
前記隔膜が限外濾過隔膜である付記２３のフィルタカートリッジ。
［付記２８］
端部キャップが前記ハウジングの各端部に液密に接合されている付記２３のフィルタカートリッジ。
［付記２９］
前記端部キャップと前記ハウジングとが一体の端部構造を形成している付記２８のフィルタカートリッジ。
［付記３０］
前記ペル弗化熱可塑性ポリマがポリ（テトラフルオロエチレン-CO-ペルフルオロ(アルキルビニルエーテル)）、ポリ（テトラフルオロエチレン-CO-ヘキサフルオロプロピレン）、及びその配合物から成る群から選択したものである付記２３のフィルタカートリッジ。
［付記３１］
前記ポリ（テトラフルオロエチレン-CO-ペルフルオロ(アルキルビニルエーテル)）のアルキルがプロピル、メチル、及びメチルとプロピルとの配合物から成る群から選択されたものである付記３０のフィルタカートリッジ。
［付記３２］
ａ）２個の端部を有し、導入口と送出口とを有し、更に内面と外面とを有するペル弗化熱可塑性ポリマのハウジングと、ｂ）第１端部と第２端部とを有し、外面と中空部を構成する内面とを有する複数個のペル弗化熱可塑性中空繊維隔膜の束とを具え、ｃ）前記束の前記端部の少なくとも１個は液密ペル弗化熱可塑性シールで注封されており、前記複数個の繊維隔膜の各繊維が別個にシールされており、前記束の前記繊維の端部の少なくとも１個が流体の流れに開放しており、ｄ）前記ハウジングの前記内面の全周縁の一部に接合する液密接合部を前記シールが更に具えることを特徴とするほぼペル弗化熱可塑性ポリマで造られたフィルタカートリッジ。